(57)【要約】【課題】本発明は、壁パネルの意匠性の低下を防止しつつ、壁パネルの据付作業をかご室内からより容易に行うことができるエレベータのかご室を得ることを目的とするものである。【解決手段】第１及び第２の背面壁パネル１５，１６の左側部には、複数の壁パネル締結用クリップ２２が上下方向に互いに間隔をおいてそれぞれ取り付けられている。第１及び第２の背面壁パネル１５，１６の右側部には、複数の壁パネル締結用クリップ孔２３が上下方向に互いに間隔をおいて設けられている。本実施例では、第１及び第２の左側面壁パネル１２，１３及び第１、第２及び第３の右側面壁パネル１８，１９，２０にも、第１及び第２の背面壁パネル１５，１６と同様の位置に複数の壁パネル締結用クリップ２２及び壁パネル締結用クリップ孔２３が設けられている。【選択図】図４
2010024000.tif 000002
【特許請求の範囲】
【請求項１】
縁部に上部レールが設けられているかご天井、
縁部に下部レールが設けられ、上記かご天井と対向しているかご床、
上記かご天井と上記かご床との間に設けられ、上記上部及び下部レールに沿って変位可能な複数の壁パネル、及び
互いに隣接する上記壁パネル間に設けられ、上記壁パネルを相互に締結する複数の締結装置
を備え、
上記締結装置は、互いに隣接する上記壁パネルの一方に設けられた締結部と、他方に設けられ上記締結部が締結される被締結部とを有し、
上記締結部は、上記上部及び下部レールに沿う上記壁パネルの移動により上記被締結部に押し付けられることによって上記被締結部に締結されることを特徴とするエレベータのかご室。
【請求項２】
各上記壁パネルの上下には、上記上部及び下部レールに沿って転動される車が設けられていることを特徴とする請求項１記載のエレベータのかご室。
【請求項３】
上記上部及び下部レールには、上記壁パネルを上記かご室内から上記上部及び下部レールに進入させるための進入口が設けられていることを特徴とする請求項１又は請求項２記載のエレベータのかご室。
【発明の詳細な説明】
【技術分野】
【０００１】
この発明は、かご天井とかご床との間に壁パネルが設けられているエレベータのかご室に関するものである。
【背景技術】
【０００２】
従来のエレベータのかご室では、作業者がかご室内から横側板と後ろ側板とをボルト及びナットで締結するための締結作業孔が横側板と後ろ側板とに設けられている。また、締結作業孔を塞ぐ仕上げ鋼板が横側板と後ろ側板とに設けられている（例えば、特許文献１参照）。
【０００３】
【特許文献１】特開２０００−９５４５８号公報
【発明の開示】
【発明が解決しようとする課題】
【０００４】
上記のように構成された従来のエレベータのかご室では、横側板と後ろ側板とがボルト及びナットで締結されているため、横側板及び後ろ側板の据付作業に手間がかかってしまう。また、かご室内から締結作業孔を仕上げ鋼板によって塞ぐと、横側板及び後ろ側板の意匠性が低下してしまう。
【０００５】
この発明は、上記のような課題を解決するためになされたものであり、壁パネルの意匠性の低下を防止しつつ、壁パネルの据付作業をかご室内からより容易に行うことができるエレベータのかご室を得ることを目的とする。
【課題を解決するための手段】
【０００６】
この発明に係るエレベータのかご室は、縁部に上部レールが設けられているかご天井、縁部に下部レールが設けられ、かご天井と対向しているかご床、かご天井とかご床との間に設けられ、上部及び下部レールに沿って変位可能な複数の壁パネル、及び互いに隣接する壁パネル間に設けられ、壁パネルを相互に締結する複数の締結装置を備え、締結装置は、互いに隣接する壁パネルの一方に設けられた締結部と、他方に設けられ締結部が締結される被締結部とを有し、締結部は、上部及び下部レールに沿う壁パネルの移動により被締結部に押し付けられることによって被締結部に締結される。
【発明の効果】
【０００７】
この発明のエレベータのかご室は、かご天井及びかご床の縁部に設けられている上部及び下部レールに沿って各壁パネルが変位可能となっており、互いを隣接する壁パネル間には壁パネルを相互に締結する複数の締結装置が設けられている。この締結装置は、互いに隣接する壁パネルの一方に設けられた締結部と他方に設けられ締結部が締結される被締結部とを有し、上部及び下部レールに沿う壁パネルの移動により締結部が被締結部に押し付けられることによって締結部が被締結部に締結される。このため、各壁パネルをボルト及びナットで締結する必要がなくなるとともに、締結作業孔及び締結作業孔を塞ぐための仕上げ鋼板も必要なくなるので、各壁パネルの意匠性の低下を防止しつつ、各壁パネルの据付作業をかご室内からより容易に行うことができる。
【発明を実施するための最良の形態】
【０００８】
以下、この発明を実施するための最良の形態について、図面を参照して説明する。
実施の形態１．
図１はこの発明の実施の形態１を示すエレベータのかご室を示す正面図、図２は図１のかご室を示す平面図である。図において、かご室１の幅方向両側には、互いに平行な断面コ字型の第１及び第２のかご枠柱２，３が設けられている。第１及び第２のかご枠柱２，３の下部の間には、かご床４が設けられている。かご床４は、複数のボルト５によって第１及び第２のかご枠柱２，３に固定されている。第１及び第２のかご枠柱２，３の上部の間には、かご天井６が設けられている。かご天井６は、複数のボルト５と断面Ｌ字形の天井固定治具７とによって第１及び第２のかご枠柱２，３に固定されている。
【０００９】
かご室１の正面には、第１及び第２の袖壁８，９が設けられている。第１及び第２の袖壁８，９の間には、出入口１０が設けられている。第１及び第２の袖壁８，９は、複数のボルト５によってかご床４とかご天井６とに固定されている。かご天井６と出入口１０との間には、出入口上板１１が設けられている。出入口上板１１は、複数のボルト５によってかご天井６及び第１及び第２の袖壁８，９に固定されている。
【００１０】
かご室１の左側面には、第１、第２及び第３の左側面壁パネル１２，１３，１４が前後方向に並べて設けられている。かご室１の背面には、第１、第２及び第３の背面壁パネル１５，１６，１７がかご室１の幅方向に並べて設けられている。かご室１の右側面には、第１、第２及び第３の右側面壁パネル１８，１９，２０が前後方向に並べて設けられている。
【００１１】
第１及び第２の袖壁８，９及び第１、第２及び第３の左側面壁パネル１２，１３，１４及び第１、第２及び第３の背面壁パネル１５，１６，１７及び第１、第２及び第３の右側面壁パネル１８，１９，２０が互いに隣接する間には、第１及び第２の袖壁８，９及び第１、第２及び第３の左側面壁パネル１２，１３，１４及び第１、第２及び第３の背面壁パネル１５，１６，１７及び第１、第２及び第３の右側面壁パネル１８，１９，２０を相互に締結する複数の締結装置２１が設けられている。
【００１２】
図３は図１のＩＩＩ−ＩＩＩ線に沿う断面図、図４は図２の第１及び第２の背面壁パネル１５，１６を示す正面図、図５は図４の第１及び第２の背面壁パネル１５，１６を示す平面図である。各締結装置２１は、互いに隣接する第１及び第２の袖壁８，９及び第１、第２及び第３の左側面壁パネル１２，１３，１４及び第１、第２及び第３の背面壁パネル１５，１６，１７及び第１、第２及び第３の右側面壁パネル１８，１９，２０の一方に設けられた締結部としての壁パネル締結用クリップ２２と、他方に設けられ壁パネル締結用クリップ２２が締結される被締結部としての壁パネル締結用クリップ孔２３を有している。
【００１３】
第２の袖壁９の幅方向の一端部９ａには、複数の壁パネル締結用クリップ２２が上下方向に互いに間隔をおいて取り付けられている。第１の袖壁８の幅方向の一端部８ａには、複数の壁パネル締結用クリップ孔２３が上下方向に互いに間隔をおいて設けられている。
【００１４】
図４に示すように、第１及び第２の背面壁パネル１５，１６の左側部には、複数の壁パネル締結用クリップ２２が上下方向に互いに間隔をおいてそれぞれ取り付けられている。第１及び第２の背面壁パネル１５，１６の右側部には、複数の壁パネル締結用クリップ孔２３が上下方向に互いに間隔をおいて設けられている。本実施例では、第１及び第２の左側面壁パネル１２，１３及び第１、第２及び第３の右側面壁パネル１８，１９，２０にも、第１及び第２の背面壁パネル１５，１６と同様の位置に複数の壁パネル締結用クリップ２２及び壁パネル締結用クリップ孔２３が設けられている。
【００１５】
第３の左側面壁パネル１４の幅方向の一端部１４ａには、複数の壁パネル締結用クリップ２２が取り付けられている。第３の左側面壁パネル１４の幅方向の他端部１４ｂには、複数の壁パネル締結用クリップ孔２３が設けられている。また、第３の背面壁パネル１７の幅方向の一端部１７ａには、複数の壁パネル締結用クリップ２２が取り付けられている。第３の背面壁パネル１７の幅方向の他端部１７ｂには、複数の壁パネル締結用クリップ孔２３が設けられている。
【００１６】
ここで、各壁パネル締結用クリップ２２は、中空円筒状になっている。また、各壁パネル締結用クリップ２２は、先端部の径が基端部の径より小さくなっている。各壁パネル締結用クリップ２２は、弾性変形によって各壁パネル締結用クリップ孔２３に挿入（圧入）することができ、挿入後には復元されて各壁パネル締結用クリップ孔２３に締結される。
【００１７】
第１及び第２の背面壁パネル１５，１６の下部には、一対の下部キャスタ２４がそれぞれ設けられている。第１及び第２の背面壁パネル１５，１６の上部には、一対の上部キャスタ２５がそれぞれ設けられている。ここで、第１、第２及び第３の左側面壁パネル１２，１３，１４及び第３の背面壁パネル１７及び第１、第２及び第３の右側面壁パネル１８，１９，２０にも、第１及び第２の背面壁パネル１５，１６と同様の一対の下部キャスタ２４及び上部キャスタ２５が設けられている。
【００１８】
図６は図１のＶＩ−ＶＩ線に沿う断面図、図７は図２のＶＩＩ−ＶＩＩ線に沿う断面図、図８は図７のＶＩＩＩ部を拡大して示す断面図である。かご床４の左側縁部には、第１の下部レール２６がボルト締結されている。かご床４の背面側縁部には、第２の下部レール２７がボルト締結されている。かご床４の右側縁部には、第３の下部レール２８がボルト締結されている。かご天井６の左側縁部には、第１の上部レール２９がボルト締結されている。かご天井６の背面側縁部には、第２の上部レール３０がボルト締結されている。かご天井６の右側縁部には、第３の上部レール３１がボルト締結されている。
【００１９】
第１、第２及び第３の下部レール２６，２７，２８及び第１、第２及び第３の上部レール２９，３０，３１は、例えば、アルミニウム又はアルミニウム合金によって構成されている。
【００２０】
第１、第２及び第３の下部レール２６，２７，２８には、折り曲げられて下部レール溝３２が形成されている。また、第２及び第３の下部レール２７，２８の下部レール溝３２には、第２及び第３の下部レール溝進入口３２ａ，３２ｂが設けられている。第１、第２及び第３の上部レール２９，３０，３１には、折り曲げられて上部レール溝３３が形成されている。また、第２及び第３の上部レール２９，３０には、第２及び第３の下部レール溝進入口３２ａ，３２ｂと対向する位置に第２及び第３の上部レール溝進入口（図示せず）が設けられている。
【００２１】
図７，８に示すように、下部キャスタ２４及び上部キャスタ２５は、断面Ｔ字形の支持部材３４と、回転軸３５と、一対の車３６と、固定用ナット３７とをそれぞれ有している。支持部材３４の一端部は、第２の左側面壁パネル１２の端部に貫通されている。また、支持部材３４の他端部は、回転軸３５に支持されている。回転軸３５は、支持部材３４の軸線を中心として回転可能（旋回可能）となっている。車３６は、回転軸３５の両端部に回転可能に設けられている。固定用ナット３７は、支持部材３４の端部に螺着されている。従って、下部キャスタ２４及び上部キャスタ２５は、第２の左側面壁パネル１３に固定されている。これにより、第１、第２及び第３の左側面壁パネル１２，１３，１４及び第１、第２及び第３の背面壁パネル１５，１６，１７及び第１、第２及び第３の右側面壁パネル１８，１９，２０は、第１、第２及び第３の下部レール２６，２７，２８及び第１、第２及び第３の上部レール２９，３０，３１に沿って変位可能となっている。
【００２２】
また、各壁パネル締結用クリップ２２及び各壁パネル締結用クリップ孔２３は、第１、第２及び第３の左側面壁パネル１２，１３，１４及び第１、第２及び第３の背面壁パネル１５，１６，１７及び第１、第２及び第３の右側面壁パネル１８，１９，２０が第１、第２及び第３の下部レール２６，２７，２８及び第１、第２及び第３の上部レール２９，３０，３１に沿う移動により各壁パネル締結用クリップ２２が各壁パネル締結用クリップ孔２３に押し付けられることによって各壁パネル締結用クリップが各壁パネル締結用クリップ孔２３に挿入（圧入）されるので、各壁パネル締結用クリップ２２が各壁パネル締結用クリップ２２に締結することができる。
【００２３】
ここで、各壁パネル１２〜２０の上下左右の四辺には、例えば板金のプレス成形により、上面、下面、第１側面及び第２側面が形成されている。そして、下部キャスタ２４は下面に、また、上部キャスタ２５は上面にそれぞれ取り付けられている。また、壁パネル締結用クリップ２２は第１側面にそれぞれ取り付けられ、壁パネル締結用クリップ孔２３は第２側面にそれぞれ設けられている。
【００２４】
次に、据付手順について説明する。図９〜図１２は図２の壁パネル１２〜２０を下部レール２６〜２８及び上部レール２９〜３１に配置していく状態を示す平面図である。
【００２５】
壁パネル１２〜２０の据付作業を行う場合、まず、第２の袖壁９をかご床４とかご天井６と間に固定する。その後、第１の左側面壁パネル１２を第２の下部レール溝進入口３２ａ及び第２の上部レール溝進入口から進入させるとともに、第２の下部及び上部レール２７，３０と第１の下部及び上部レール２６，２９とに沿って変位させ、第２の袖壁９の幅方向の一端部９ａに設けられている各壁パネル締結用クリップ孔２３に第１の左側面壁パネル１２の幅方向の一端部１２ａに設けられている各壁パネル締結用クリップ２２を押し付けることによって、各壁パネル締結用クリップ２２が各壁パネル締結用クリップ孔２３に締結されるので、第１の袖壁８と第１の左側面壁パネル１２とを固定することができる。ここで、図１０に示すように、第２及び第３の左側面壁パネル１３，１４は、第１の左側面壁パネル１２と同様の方法で配置する。
【００２６】
また、第１の背面壁パネル１５を第３の下部レール溝進入口３２ｂ及び第３の上部レール溝進入口から進入させるとともに、第３の下部及び上部レール２８，３１と第２の下部及び上部レール２７，３０とに沿って変位させ、第３の左側面壁パネル１４の幅方向の他端部１４ｂに設けられている各壁パネル締結用クリップ孔２３に第１の背面壁パネル１５の幅方向の一端部１５ａに設けられている各壁パネル締結用クリップ２２を押し付けることによって、各壁パネル締結用クリップ２２が各壁パネル締結用クリップ孔２３に締結されるので、第３の左側面壁パネル１４と第１の背面壁パネル１５とを固定することができる。ここで、図１１に示すように、第２及び第３の背面壁パネル１６，１７は、第１の背面壁パネル１５と同様の方法で配置する。
【００２７】
さらに、第１の右側面壁パネル１８を第３の下部及び上部レール２８，３１の端部から進入させるとともに、第３の下部及び上部レール２８，３１に沿って変位させ、第３の背面壁パネル１７の幅方向の他端部１７ｂに設けられている各壁パネル締結用クリップ孔２３に第１の右側面壁パネル１８の幅方向の一端部１８ａに設けられている各壁パネル締結用クリップ２２を押し付けることにより、各壁パネル締結用クリップ２２が各壁パネル締結用クリップ孔２３に締結されるので、第３の背面壁パネル１７と第１の右側面壁パネル１８とを固定することができる。ここで、図１２に示すように、第２及び第３の右側面壁パネル１９，２０は、第１の右側面壁パネル１８と同様の方法で配置される。最後に、第１の袖壁８をかご床４とかご天井６との間に固定するとともに、第３の右側面壁パネル２０の幅方向の一端部２０ａに固定する。
【００２８】
このようなエレベータのかご室１では、壁パネル１２〜２０を第２及び第３の下部レール溝進入口３２ａ，３２ｂ及び第２及び第３の上部レール溝進入口から進入させるとともに、下部レール２６〜２８及び上部レール２９〜３１に沿って変位させ、互いに隣接する各壁パネル１２〜２０の一方に設けられている各壁パネル締結用クリップ２２を他方に設けられている各壁パネル締結用クリップ孔２３に押し付けることによって、各壁パネル締結用クリップ２２が各壁パネル締結用クリップ孔２３に挿入され各壁パネル締結用クリップ２２が各壁パネル締結用クリップ孔２３に締結される。このため、各壁パネル１２〜２０をボルト及びナットで締結する必要がなくなるとともに、締結作業孔及び締結作業孔を塞ぐための仕上げ鋼板も必要なくなるので、各壁パネル１２〜２０の意匠性の低下を防止しつつ、各壁パネル１２〜２０の据付作業をかご室１内からより容易に行うことができる。
【００２９】
また、壁パネル１２〜２０の上下部には、下部キャスタ２４及び上部キャスタ２５が設けられているので、下部レール２６〜２８及び上部レール２９〜３１に沿って壁パネル１２〜２０をスムーズに移動させることができる
さらに、第２及び第３の下部レール２７，２８の下部レール溝３２には、第２及び第３の下部レール溝進入口３２ａ，３２ｂが設けられ、第２及び第３の上部レール２９，３０には、第２及び第３の下部レール溝進入口３２ａ，３２ｂと対向する位置に第２及び第３の上部レール溝進入口が設けられているので、かご室１内から壁パネル１２〜２０を下部レール２６〜２８及び上部レール２９〜３１に配置させることができる。
【００３０】
なお、壁パネル１２〜２０の上下部には、必ずしも一対の車を設けなくてもよく。例えば、壁パネル１２〜２０を下部レール２６〜２８及び上部レール２９〜３１に沿って摺動させる構成を用いてもよい。
また、上記の例では、締結装置２１として壁パネル締結用クリップ２２を壁パネル締結用クリップ孔２３に押し込む構造を示したが、締結装置１２はこれに限定されるものではない。
【図面の簡単な説明】
【００３１】
【図１】この発明の実施の形態１を示すエレベータのかご室を示す正面図である。
【図２】図１のかご室を示す平面図である。
【図３】図１のＩＩＩ−ＩＩＩ線に沿う断面図である。
【図４】図２の第１及び第２の背面壁パネルを示す正面図である。
【図５】図４の第１及び第２の背面壁パネルを示す平面図である。
【図６】図１のＶＩ−ＶＩ線に沿う断面図である。
【図７】図２のＶＩＩ−ＶＩＩ線に沿う断面図である。
【図８】図８は図７のＶＩＩＩ部を拡大して示す断面図である。
【図９】第１の左側面壁パネルを第２の下部レール溝進入口及び第２の上部レール溝進入口から進入させる状態を示す平面図である。
【図１０】左側面壁パネルの設置後に第１の背面壁パネルを第３の下部レール溝進入口および第３の上部レール溝進入口から進入させる状態を示す平面図である。
【図１１】背面壁パネルの設置後に第１の右側面壁パネルを第３の下部レール溝端部及び第３の上部レール溝端部から進入させる状態を示す平面図である。
【図１２】壁パネルが下部及び上部レールに設置された状態を示す平面図である。
【符号の説明】
【００３２】
４  かご床、６  かご天井、１２  第１の左側面壁パネル（壁パネル）、１３  第２の左側面壁パネル（壁パネル）、１４  第３の左側面壁パネル（壁パネル）、１５  第１の背面壁パネル（壁パネル）、１６  第２の背面壁パネル（壁パネル）、１７  第３の背面壁パネル（壁パネル）、１８  第１の右側面壁パネル（壁パネル）、１９  第２の右側面壁パネル（壁パネル）、２０  第３の右側面壁パネル（壁パネル）、２１  締結装置、２２  壁パネル締結用クリップ（締結部）、２３  壁パネル締結用クリップ孔（被締結部）、２６  第１の下部レール（下部レール）、２７  第２の下部レール（下部レール）、２８  第３の下部レール（下部レール）、２９  第１の上部レール（上部レール）、３０  第２の上部レール（上部レール）、３１  第３の上部レール（上部レール）、３２ａ  第２の下部レール溝進入口（進入口）、３２ｂ  第３の下部レール溝進入口（進入口）、３６  車。
【図１】
2010024000.tif 000003
【図２】
2010024000.tif 000004
【図３】
2010024000.tif 000005
【図４】
2010024000.tif 000006
【図５】
2010024000.tif 000007
【図６】
2010024000.tif 000008
【図７】
2010024000.tif 000009
【図８】
2010024000.tif 000010
【図９】
2010024000.tif 000011
【図１０】
2010024000.tif 000012
【図１１】
2010024000.tif 000013
【図１２】
2010024000.tif 000014